(57)【特許請求の範囲】
【請求項１】
複数の物品を前後方向に並べて搭載可能な搭載部と、
前記搭載部に沿って前後に移動可能に設けられた押圧スライダと、
前記押圧スライダを前方に付勢するスライダ付勢部と、
前記搭載部に搭載されている前記物品の残量が第１残量となったことを表示報知する第１残量表示部と、
前記搭載部に搭載されている前記物品の残量が前記第１残量よりも少ない第２残量となったことを表示報知する第２残量表示部と、
前記押圧スライダが第１前進位置まで前進することに連動して、前記第１残量表示部を第１待機領域と第１表示領域との間で移動させる第１移動機構と、
前記押圧スライダが前記第１前進位置よりも前方の第２前進位置まで前進することに連動して、前記第２残量表示部を第２待機領域と第２表示領域との間で移動させる第２移動機構と、
を備え、
前記第１移動機構は、前記搭載部に対して揺動可能に設けられた第１揺動部を含んで構成され、前記押圧スライダが前記第１前進位置まで前進することに連動して揺動することにより、前記第１残量表示部を前記第１待機領域と前記第１表示領域との間で移動させるように構成され、
前記第２移動機構は、前記搭載部に対して揺動可能に設けられた第２揺動部を含んで構成され、前記押圧スライダが前記第２前進位置まで前進することに連動して揺動することにより、前記第２残量表示部を前記第２待機領域と前記第２表示領域との間で移動させるように構成され、
前記搭載部は、前記複数の物品を支持する底板部と、前記底板部の幅方向両端に設けられた一対の側壁部と、前記底板部の前端部に設けられた前壁部と、を備え、
前記押圧スライダは、前記底板部に沿って前後に移動可能に、前記底板部に装着されており、
前記底板部の幅方向における中間部には、前後に延在するスリットが形成され、
前記底板部は、前記スリットを間に挟んで幅方向に離間している一対の側部を備えており、これら一対の側部の各々は、前後方向に延在しており、
前記第１揺動部は、前記一対の側部のうちの一方に沿って配置されており、
前記第２揺動部は、前記一対の側部のうちの他方に沿って配置されているマガジン。
【請求項２】
前記第１揺動部及び前記第２揺動部の各々は、水平な揺動軸周りに揺動可能に、前記搭載部に対して軸支されている請求項１に記載のマガジン。
【請求項３】
前記第１揺動部及び前記第２揺動部の各々は、前後に長尺に形成されているとともに前記底板部の下面に沿って配置され、
前記第１揺動部及び前記第２揺動部の各々の後端部が前記底板部の下面側において軸支され、
前記第１揺動部の前端部に前記第１残量表示部が設けられており、
前記第２揺動部の前端部に前記第２残量表示部が設けられている請求項２に記載のマガジン。
【請求項４】
前記第１揺動部及び前記第２揺動部の各々は、前後に長尺な薄板状に形成されているとともに、後端部が前記底板部の下面側において軸支され、且つ、前記底板部の下面に沿って配置されており、
前記第１残量表示部は薄板状に形成されているとともに、前記第１揺動部の前端部から上方に起立し、且つ、当該第１残量表示部の板面が前後を向いており、
前記第２残量表示部は薄板状に形成されているとともに、前記第２揺動部の前端部から上方に起立し、且つ、当該第２残量表示部の板面が前後を向いている請求項３に記載のマガジン。
【請求項５】
前記押圧スライダは、
前記底板部において前記スリットの一側方に位置する部分を上下から挟持する第１挟持部と、
前記底板部において前記スリットの他側方に位置する部分を上下から挟持する第２挟持部と、
を備え、
前記第１挟持部における前記底板部の下側の部分には、前記押圧スライダが前記第１前進位置まで前進した際に前記第１揺動部を上方に揺動させる第１揺動力付与部が設けられ、
前記第２挟持部における前記底板部の下側の部分には、前記押圧スライダが前記第２前進位置まで前進した際に前記第２揺動部を上方に揺動させる第２揺動力付与部が設けられている請求項３又は４に記載のマガジン。
【請求項６】
前記前壁部は、
前記第１待機領域に位置する前記第１残量表示部を覆い隠す第１覆い部と、
前記第２待機領域に位置する前記第２残量表示部を覆い隠す第２覆い部と、
前記第１表示領域に位置する前記第１残量表示部を当該マガジンの外部から視認可能とさせる第１窓部と、
前記第２表示領域に位置する前記第２残量表示部を当該マガジンの外部から視認可能とさせる第２窓部と、
を有する請求項１から５のいずれか一項に記載のマガジン。
【請求項７】
前記搭載部は、前記底板部、前記一対の側壁部、前記第１覆い部、及び、前記第２覆い部を含む本体部を備え、
前記本体部が遮光性材料により構成されている請求項６に記載のマガジン。
【請求項８】
前記第１残量表示部と前記第２残量表示部とが当該マガジンの幅方向に並んで配置されている請求項１から７のいずれか一項に記載のマガジン。
【請求項９】
前記第１残量表示部と前記第２残量表示部とが当該マガジンの前端部に配置されている請求項１から８のいずれか一項に記載のマガジン。
【請求項１０】
前記第１残量表示部は、当該マガジンにおける前記第１残量表示部の周囲の部分とは異なる色に着色されており、
前記第２残量表示部は、当該マガジンにおける前記第２残量表示部の周囲の部分とは異なる色に着色されている請求項１から９のいずれか一項に記載のマガジン。
【請求項１１】
前記第１残量表示部と前記第２残量表示部とは、互いに異なる色に着色されている請求項１から１０のいずれか一項に記載のマガジン。
【発明の詳細な説明】
【技術分野】
【０００１】
本発明は、複数の物品が前後方向に一列に搭載されるマガジンに関する。特に、物品の残量をマガジンの外部から確認可能なマガジンに関する。
【背景技術】
【０００２】
コンビニエンスストアなどの店舗では、様々な物品がいわゆる什器に陳列されている。
多様な物品のうち、例えばたばこ商品などの特定の物品を陳列するための什器の棚には、複数の物品を前後方向に一列に搭載するための商品搭載用の容器が複数設置される。この容器は一般的にはマガジン、カートリッジまたはホルダーなどと呼ばれている。以下では、この容器をマガジンと呼称する。
なお、ここでいうたばこ商品とは、喫煙に供される個々の紙巻たばこではなく、複数本の紙巻たばこを収容している直方体状のパッケージを意味している。
【０００３】
ところで、マガジンに搭載された物品の残数が減ってくると、店員が物品を補充する必要がある。しかし、個々のマガジンにおける物品の残個数を数える作業は繁雑であるため、残個数を数えなくても、残個数がある程度以下に減ったことを容易に認識できるようにしたいという要望があった。これに対し、マガジンの搭載部に搭載されている物品の残個数が減ったことを表示する技術が提案されている。
【０００４】
例えば、特許文献１には、レール部が設けられた第１底面と当該第１底面よりも下方に設けられた第２底面とを有する透明な箱状の搭載部（同文献の枠体）と、レール部に沿って前後に摺動可能に設けられた押圧スライダ（同文献の押し板）と、細長い金属の板を渦巻状に巻回した巻回部を有するバネと、バネの巻回部を収納するバネ収納部と、を備えるマガジンが記載されている。バネの先端は、バネ収容部から前方に引き出され、第１底面と第２底面との間の空間に導入されている。このマガジンは、更に、搭載部の前端部における底部に設けられた滑車と、バネの先端と押圧スライダとを接続しているとともに滑車に係合している紐と、を備えている。したがって、バネ及び紐が一連の長尺な索体を構成しており、この索体は、バネ収容部の巻回部から前方に延び、滑車で折り返して後方に延び、押圧スライダに接続されている。そして、バネの付勢に従って押圧スライダが前進する際に巻回部にバネが巻き取られ、バネの付勢に抗して押圧スライダが後退することにより巻回部から前方にバネが繰り出されるようになっている。
ここで、紐の一部分は、着色された着色部となっている。
そして、押圧スライダが前進した際、すなわち搭載部に搭載された物品の残量が少なくなった際には、紐の着色部を搭載部の正面から視認可能となるようになっている。
よって、搭載部の正面から紐の色を目視で確認することによって、搭載部に搭載されている物品の残量が減ったか否かを認識することが可能である。
【先行技術文献】
【特許文献】
【０００５】
【特許文献１】特開２０１５−２４０８３号公報
【発明の概要】
【発明が解決しようとする課題】
【０００６】
ところで、マガジンに搭載された物品の残量が減った際には、単にマガジンに物品を補充する作業だけでなく、物品の発注作業も必要な場合がある。そして、補充に適したタイミングと、発注に適したタイミングとは、必ずしも一致しない。
また、マガジンに搭載される物品の種類によっても、補充又は発注に適したタイミングが異なることも想定される。
これらのような観点から、マガジンに搭載された物品の残量をより細かく適切に表示報知することが望まれる。
【０００７】
特許文献１の技術は、物品の残量が一定量以下に減ったか否かの確認を可能とする技術であるが、上述したような要求を十分に満たすものではない。
【０００８】
本発明は、上記の課題に鑑みてなされたものであり、搭載された物品の残量をより細かく適切に表示報知することが可能なマガジンを提供するものである。
【課題を解決するための手段】
【０００９】
本発明によれば、複数の物品を前後方向に並べて搭載可能な搭載部と、前記搭載部に沿って前後に移動可能に設けられた押圧スライダと、前記押圧スライダを前方に付勢するスライダ付勢部と、前記搭載部に搭載されている前記物品の残量が第１残量となったことを表示報知する第１残量表示部と、前記搭載部に搭載されている前記物品の残量が前記第１残量よりも少ない第２残量となったことを表示報知する第２残量表示部と、前記押圧スライダが第１前進位置まで前進することに連動して、前記第１残量表示部を第１待機領域と第１表示領域との間で移動させる第１移動機構と、前記押圧スライダが前記第１前進位置よりも前方の第２前進位置まで前進することに連動して、前記第２残量表示部を第２待機領域と第２表示領域との間で移動させる第２移動機構と、を備え、前記第１移動機構は、前記搭載部に対して揺動可能に設けられた第１揺動部を含んで構成され、前記押圧スライダが前記第１前進位置まで前進することに連動して揺動することにより、前記第１残量表示部を前記第１待機領域と前記第１表示領域との間で移動させるように構成され、前記第２移動機構は、前記搭載部に対して揺動可能に設けられた第２揺動部を含んで構成され、前記押圧スライダが前記第２前進位置まで前進することに連動して揺動することにより、前記第２残量表示部を前記第２待機領域と前記第２表示領域との間で移動させるように構成され、前記搭載部は、前記複数の物品を支持する底板部と、前記底板部の幅方向両端に設けられた一対の側壁部と、前記底板部の前端部に設けられた前壁部と、を備え、前記押圧スライダは、前記底板部に沿って前後に移動可能に、前記底板部に装着されており、前記底板部の幅方向における中間部には、前後に延在するスリットが形成され、前記底板部は、前記スリットを間に挟んで幅方向に離間している一対の側部を備えており、これら一対の側部の各々は、前後方向に延在しており、前記第１揺動部は、前記一対の側部のうちの一方に沿って配置されており、前記第２揺動部は、前記一対の側部のうちの他方に沿って配置されているマガジンが提供される。
【発明の効果】
【００１０】
本発明によれば、マガジンに搭載された物品の残量を、より細かく適切に表示報知することが可能となる。
【図面の簡単な説明】
【００１１】
【図１】第１実施形態に係るマガジンの平面図である。
【図２】図１のＩＩ−ＩＩ線に沿った断面図である。
【図３】図３（ａ）、図３（ｂ）及び図３（ｃ）の各々は第１実施形態に係るマガジンを前方から視た斜視図であり、このうち図３（ａ）は第１残量表示部及び第２残量表示部がそれぞれ第１待機領域及び第２待機領域に位置する状態を示し、図３（ｂ）は第１残量表示部及び第２残量表示部がそれぞれ第１表示領域及び第２待機領域に位置する状態を示し、図３（ｃ）は第１残量表示部及び第２残量表示部がそれぞれ第１表示領域及び第２表示領域に位置する状態を示す。
【図４】第１実施形態に係るマガジンの底面図であり、第１残量表示部及び第２残量表示部がそれぞれ第１待機領域及び第２待機領域に位置する状態を示す。
【図５】第１実施形態に係るマガジンの底面図であり、第１残量表示部及び第２残量表示部がそれぞれ第１表示領域及び第２待機領域に位置する状態を示す。
【図６】第１実施形態に係るマガジンの底面図であり、第１残量表示部及び第２残量表示部がそれぞれ第１表示領域及び第２表示領域に位置する状態を示す。
【図７】図７（ａ）は図４のＡ−Ａ線に沿った縦断面図であり、図７（ｂ）は図５のＡ−Ａ線に沿った縦断面図である。
【図８】図８（ａ）は押圧スライダが図５よりも前方かつ図６よりも後方に位置するときのマガジンの縦断面図であり、図８（ｂ）は図６のＢ−Ｂ線に沿った縦断面図である。
【図９】図９（ａ）は第１揺動部材の被軸支部の近傍を示す斜視図であり、図９（ｂ）は第２揺動部材の被軸支部の近傍を示す斜視図である。
【図１０】図１０（ａ）及び図１０（ｂ）の各々は第２実施形態に係るマガジンの縦断面図であり、このうち図１０（ａ）は第１残量表示部が第１待機領域に位置する状態を示し、図１０（ｂ）は第１残量表示部が第１表示領域に位置する状態を示す。
【発明を実施するための形態】
【００１２】
以下、本発明の実施形態について、図面を用いて説明する。なお、すべての図面において、同様の構成要素には同一の符号を付し、適宜に説明を省略する。
本実施形態では、各構成要素の位置関係を分かりやすく説明するために、前後左右上下等の方向を規定して説明する場合がある。しかし、これらの方向の規定は便宜的なものであり、本発明を実施する製品の製造時や使用時の方向を限定するものではない。なお、マガジンに関連する前後は、マガジンの正面側を前方向、背面側を後方向とする。また、マガジンに関連する左右は、マガジンの幅方向であって正面側から観察したときの左右をいう。
また本発明の各種の構成要素は、個々に独立した存在である必要はなく、一つの構成要素が他の構成要素の一部であること、ある構成要素の一部と他の構成要素の一部とが重複していること、等を許容する。
【００１３】
〔第１実施形態〕
図１は第１実施形態に係るマガジン１００の平面図である。図２は図１のＩＩ−ＩＩ線に沿った断面図である。なお、図１及び図２においては、搭載部１０に搭載されたたばこ商品６０の図示を省略しており、図２においては、第１揺動部材３０及び第２揺動部材４０等の図示を省略している。
図３（ａ）、図３（ｂ）及び図３（ｃ）の各々は第１実施形態に係るマガジン１００を前方から視た斜視図である。図４、図５及び図６の各々は第１実施形態に係るマガジン１００の底面図である。
これらのうち、図３（ａ）及び図４は第１残量表示部３１が第１待機領域に位置し、第２残量表示部４１が第２待機領域に位置する状態を示す。図３（ｂ）及び図５は第１残量表示部３１が第１表示領域に位置し、第２残量表示部４１が第２待機領域に位置する状態を示す。図３（ｃ）及び図６は第１残量表示部３１が第１表示領域に位置し、第２残量表示部４１が第２表示領域に位置する状態を示す。なお、図３（ａ）、図３（ｂ）及び図３（ｃ）の各々においては、搭載部１０に搭載されたたばこ商品６０の図示は省略している。
図７（ａ）は図４のＡ−Ａ線に沿った縦断面図である。すなわち、図７（ａ）は、図３（ａ）及び図４と同様に、第１残量表示部３１が第１待機領域に位置し、第２残量表示部４１が第２待機領域に位置する状態を示す。
図７（ｂ）は図５のＡ−Ａ線に沿った縦断面図である。すなわち、図７（ｂ）は、図３（ｂ）及び図５と同様に、第１残量表示部３１が第１表示領域に位置し、第２残量表示部４１が第２待機領域に位置する状態を示す。
図８（ａ）は押圧スライダ２０が図５よりも前方かつ図６よりも後方に位置するときのマガジン１００の縦断面図である。なお、図８（ａ）は図６のＢ−Ｂ線に相当する位置での断面を示す。
図８（ｂ）は図６のＢ−Ｂ線に沿った縦断面図である。すなわち、図８（ｂ）は、図３（ｃ）及び図６と同様に、第１残量表示部３１が第１表示領域に位置し、第２残量表示部４１が第２表示領域に位置する状態を示す。
図９（ａ）はマガジン１００の裏面側からの斜視図であり、第１揺動部材３０の軸支部３３の近傍を示す。図９（ｂ）はマガジン１００の裏面側からの斜視図であり、第２揺動部材４０の軸支部４３の近傍を示す。
【００１４】
本実施形態に係るマガジン１００は、複数の物品（例えばたばこ商品６０）を前後方向に並べて搭載可能な搭載部１０と、搭載部１０に沿って前後に移動可能に設けられた押圧スライダ２０と、押圧スライダ２０を前方に付勢するスライダ付勢部（例えば板バネ５０）と、搭載部１０に搭載されている物品の残量が第１残量となったことを表示報知する第１残量表示部３１と、搭載部１０に搭載されている物品の残量が第１残量よりも少ない第２残量となったことを表示報知する第２残量表示部４１と、押圧スライダ２０が第１前進位置まで前進することに連動して第１残量表示部３１を第１待機領域と第１表示領域との間で移動させる第１移動機構（例えば、第１揺動部３０ａと第１揺動力付与部２７ａとにより構成されている）と、押圧スライダ２０が第１前進位置よりも前方の第２前進位置まで前進することに連動して第２残量表示部４１を第２待機領域と第２表示領域との間で移動させる第２移動機構（例えば、第２揺動部４０ａと第２揺動力付与部２７ｂとにより構成されている）と、を備える。
すなわち、第１移動機構は、押圧スライダ２０が第１前進位置まで前進することに連動して、第１残量表示部３１を第１待機領域から第１表示領域へ移動させるか、又は、第１残量表示部３１を第１表示領域から第１待機領域へ移動させるものである。本実施形態の場合、第１移動機構は、押圧スライダ２０が第１前進位置まで前進することに連動して、第１残量表示部３１を第１待機領域から第１表示領域へ移動させる。
また、第２移動機構は、押圧スライダ２０が第２前進位置まで前進することに連動して、第２残量表示部４１を第２待機領域から第２表示領域へ移動させか、又は、第２残量表示部４１を第２表示領域から第２待機領域へ移動させるものである。本実施形態の場合、第２移動機構は、押圧スライダ２０が第２前進位置まで前進することに連動して、第２残量表示部４１を第２待機領域から第２表示領域へ移動させる。
【００１５】
搭載部１０にはたばこ商品６０を縦置きで前後に一列に搭載可能となっている。
例えば、搭載部１０には、標準寸法のたばこ商品６０を最大で１５個搭載可能となっている。なお、たばこ商品６０は銘柄により前後方向寸法（厚み寸法）が異なるため、搭載部１０におけるたばこ商品６０の搭載数は、銘柄によって異なる場合がある。
【００１６】
第１残量及び第２残量の各々は、所定の個数（以下、第１所定個数及び第２所定個数）である。第１所定個数及び第２所定個数は、マガジン１００の各部の寸法や位置関係と、搭載部１０に搭載されるたばこ商品６０の前後方向寸法と、に応じて定まる。
本実施形態の場合、一例として、第１所定個数は５個に設定され、第２所定個数は２個に設定されている。そして、搭載部１０に搭載されるたばこ商品６０の銘柄に応じて、搭載部１０におけるたばこ商品６０の残量が５個となったタイミング（第１タイミング）又は２個となったタイミング（第２タイミング）や、店舗における在庫が残り１カートンとなったタイミング（第３タイミング）において、発注又は補充を行うようにできる。なお、第３タイミングは、店舗の在庫の中から、１カートン分のたばこ商品６０をマガジン１００の搭載部１０に補充した結果、在庫が残り１カートンとなったタイミングである。
例えば、搭載部１０に搭載されるたばこ商品６０が、相対的に売れ行きが多い銘柄の場合は、第３タイミングにおいて発注を行い、第１タイミングにおいて補充を行うようにできる。
また、搭載部１０に搭載されるたばこ商品６０が、相対的に売れ行きが少ない銘柄の場合は、第２タイミングにおいて補充及び発注を行うようにできる。
また、搭載部１０に搭載されるたばこ商品６０が、中程度の売れ行きの銘柄の場合は、第１タイミングにおいて発注を行い、第２タイミングにおいて補充を行うようにできる。
【００１７】
搭載部１０は、前後方向に長尺で上方に向けて開口している箱型の容器である。搭載部１０は、複数のたばこ商品６０を支持する底板部１２と、底板部１２の左右両側端に設けられた左右一対の側壁部１３と、底板部１２の前端部に設けられた前壁部１４と、底板部１２の後端部に設けられた後壁部１７と、ブレード１９（図３（ａ）〜図３（ｃ））と、を備えている。底板部１２及び側壁部１３は、それぞれ前後方向に長尺に形成されており、搭載部１０の前端部から後端部に亘って延在している。
【００１８】
底板部１２の幅方向における中間部（例えば中央部）には、前後に延在するスリット１２ｃが形成されている。
底板部１２は、スリット１２ｃを間に挟んで左右に離間している左右一対の側部１２ｂを備えている。一対の側部１２ｂの各々は、水平に配置された板状部であり、前後方向に延在している。左右一対の側部１２ｂの各々の上面には、前後に延在する突条であるガイドレール１２ｄが形成されている。
底板部１２上に搭載されたたばこ商品６０は、左右一対の側部１２ｂのガイドレール１２ｄ間に跨がった状態となり、一対のガイドレール１２ｄに沿って前後に摺動可能となる。
底板部１２は、更に、スリット１２ｃの下方に（つまり一対の側部１２ｂよりも低段に）位置する中央部１２ａを備えている（図２参照）。底板部１２の中央部１２ａも、水平に配置された板状部であり、前後方向に延在している。
底板部１２の前端部には、上方に向けて隆起したスロープ１２ｅ（図７（ａ）等参照）が形成されている。これにより、押圧スライダ２０に押されて底板部１２の前端部に到達した先頭のたばこ商品６０が、他のたばこ商品６０よりも上方に持ち上がり、当該先頭のたばこ商品６０を取り出しやすくなっている。
底板部１２の後端部には、底板部１２に対して押圧スライダ２０を装着するための取付用切欠形状部１２ｆが形成されている。
【００１９】
左右一対の側壁部１３の各々は、板面が略鉛直に配置されており、且つ、互いに平行に対向している。一対の側壁部１３は、底板部１２の左右両端部から、上方に起立しているとともに下方にも垂下している（図２参照）。
ブレード１９は、前後に長尺なリブである。ブレード１９は、側壁部１３において底板部１２よりも下方に垂下している部分から更に下方に突出している。
【００２０】
前壁部１４は、当該前壁部１４の下端部を構成する前壁下部１５と、当該前壁部１４における前壁下部１５よりも上側の部分を構成するフラップ部材１６と、を備えて構成されている。
【００２１】
前壁下部１５は、左右一対の側壁部１３の前端部と一体に設けられた板状の部分であり、底板部１２及び側壁部１３に対して略直交している。
前壁下部１５は、左右に長尺な矩形状に形成されており、当該前壁下部１５の上縁及び下縁が水平に配置されている。
前壁下部１５は、底板部１２の前端部よりも上方に起立しているとともに、底板部１２の前端部よりも下方に垂下している。
例えば、前壁下部１５の下縁の高さ位置は、側壁部１３の下縁の高さ位置と同じ高さ位置となっている。
【００２２】
フラップ部材１６は、左右一対の側壁部１３によって軸支されており、前傾方向に揺動可能となっている。
フラップ部材１６は、平板状の前側壁部１６ａと、前側壁部１６ａよりも後方に位置しているとともに前側壁部１６ａに対して平行に配置された平板状の後側壁部１６ｂと、前側壁部１６ａと後側壁部１６ｂとを相互に連結している連結部１６ｃと、を備えている。このうち後側壁部１６ｂは、前側壁部１６ａの下端よりも下方に延びている。
より詳細には、連結部１６ｃは、前側壁部１６ａの下縁と後側壁部１６ｂの前面とを相互に連結している底板部と、前側壁部１６ａの左縁と後側壁部１６ｂの左縁とを相互に連結している左壁部と、前側壁部１６ａの右縁と後側壁部１６ｂの右縁とを相互に連結している右壁部と、を備えている。
前側壁部１６ａと後側壁部１６ｂとの間には、たばこ商品６０の銘柄識別情報や価格情報などが付されたカード類を上方から差し込み可能なポケットが形成されている。
フラップ部材１６は、連結部１６ｃの左壁部及び右壁部からそれぞれ側方に突出した状態に形成された一対の軸部１６ｄ及び一対のガイドピン１６ｅを備えている。
一対の軸部１６ｄの各々は、左右一対の側壁部１３にそれぞれ形成された軸支孔１３ａ（図３（ａ）等）に差し込まれている。これにより、フラップ部材１６は、左右一対の側壁部１３により軸支されている。
また、一対のガイドピン１６ｅの各々は、左右一対の側壁部１３にそれぞれ形成されたガイド孔１３ｂに差し込まれており、フラップ部材１６が揺動する際にガイド孔１３ｂによってガイドピン１６ｅがガイドされるようになっている。
フラップ部材１６が起立した状態（前傾していない状態）において、前側壁部１６ａ及び後側壁部１６ｂは、略鉛直となり、且つ、底板部１２及び側壁部１３に対して略直交するようになっている。
フラップ部材１６の前側壁部１６ａは、矩形状に形成されており、当該前側壁部１６ａの上縁及び下縁が水平に配置されている。
【００２３】
ここで、フラップ部材１６が起立した状態（前傾していない状態）において、前側壁部１６ａが前壁下部１５とほぼ面一となるか、又は、前側壁部１６ａが前壁下部１５よりも若干後方に位置するように、フラップ部材１６が配置されている。
また、前側壁部１６ａの下縁は、前壁下部１５の上縁よりも上方に位置しており、前壁下部１５の上縁と前側壁部１６ａの下縁との間に窓部７０が形成されている。窓部７０は、前壁下部１５と前側壁部１６ａとの間の空間である。また、窓部７０の右半部が第１窓部７１であり、左半部が第２窓部７２であるものとする。
なお、フラップ部材１６の揺動軸、すなわち軸部１６ｄは、前側壁部１６ａの下縁近傍の位置に配置されており、フラップ部材１６が揺動する際において、フラップ部材１６の下縁の高さ位置の変動が抑制されている。
また、フラップ部材１６が起立した状態において、フラップ部材１６の上端の高さ位置と、側壁１３の上端の高さ位置とは、どちらが高くてもよい（どちらが上に位置していてもよい）。例えば、図３（ａ）、図３（ｂ）及び図３（ｃ）に示すように、フラップ部材１６の上端の位置が側壁１３の上端の位置よりも高くてもよいし、図２、図７（ａ）、図７（ｂ）、図８（ａ）及び図８（ｂ）に示すように、フラップ部材１６の上端と側壁１３の上端とが互いに同じ高さであってもよい。さらに、図示は省略するが、フラップ部材１６の上端の位置が側壁１３の上端の位置よりも低くてもよい。
【００２４】
後壁部１７は、平板状の前側壁部１７ａと、前側壁部１７ａよりも後方に位置しているとともに前側壁部１７ａに対して平行に配置された後側壁部１７ｂと、を備えて構成されている。前側壁部１７ａ及び後側壁部１７ｂの各々は、底板部１２及び側壁部１３に対して直交している。
前側壁部１７ａと後側壁部１７ｂとの間には、たばこ商品６０の銘柄識別情報や価格情報などが付されたカード類を上方から差し込み可能なポケットが形成されている。
【００２５】
ここで、搭載部１０の構成要素のうち、底板部１２、一対の側壁部１３、前壁下部１５及び前側壁部１７ａは、一体成形されており、本体部１１を構成している。
本体部１１は、遮光性材料により構成されている。本体部１１は、例えば、遮光性の着色剤により着色された樹脂材料により構成されている。
また、後側壁部１７ｂは、本体部１１とは別体の部材を本体部１１の後端部に装着することにより構成されている。また、フラップ部材１６も、本体部１１とは別体の部材であり、上述のように本体部１１の前端部に軸支されている。
後側壁部１７ｂ及びフラップ部材１６の各々は、例えば、透明な樹脂材料などの透光性材料により構成されている。このため、フラップ部材１６の上記ポケット及び後壁部１７の上記ポケットにそれぞれ保持されたカード類を、マガジン１００の前方及び後方からそれぞれ視認可能となっている。
【００２６】
押圧スライダ２０は、底板部１２に沿って前後に移動可能に、底板部１２に装着されている。
押圧スライダ２０は、底板部１２に対して前後に摺動可能に底板部１２に装着された摺動部２１と、摺動部２１の前端部から起立している起立板２２と、起立板２２の後方に配置されている左右一対のリブ２３と、左右一対の指掛け部２６と、を備えて構成されている。
【００２７】
摺動部２１は、底板部１２の左右の側部１２ｂをそれぞれ上下から挟持する左右一対の挟持部（第１挟持部２１ａ及び第２挟持部２１ｂ）を備えている。
すなわち、第１挟持部２１ａは、摺動部２１の右半部である。第１挟持部２１ａは、右側に向けて開口するスリットを有している。第１挟持部２１ａのスリットに対し、右側の側部１２ｂにおけるスリット１２ｃの縁部が差し込まれることにより、第１挟持部２１ａが当該右側の側部１２ｂを上下から挟持している。
第２挟持部２１ｂは、摺動部２１の左半部である。第２挟持部２１ｂは、左側に向けて開口するスリットを有している。第２挟持部２１ｂのスリットに対し、左側の側部１２ｂにおけるスリット１２ｃの縁部が差し込まれることにより、第２挟持部２１ｂが当該左側の側部１２ｂを上下から挟持している。
摺動部２１は、第１挟持部２１ａ及び第２挟持部２１ｂによって左右の側部１２ｂを挟持した状態で、底板部１２に沿って前後に摺動可能となっている。
【００２８】
起立板２２は、平板状に形成されており、当該起立板２２の板面が前後方向を向くように配置されている。起立板２２は、搭載部１０に搭載されているたばこ商品６０のうち、最後尾のたばこ商品６０の背面に当接し、該たばこ商品６０を前方に押すようになっている。
【００２９】
一対のリブ２３は、起立板２２に対して起立しており、互いに左右に離間している。一対のリブ２３の下部は、互いに平行に対向しており、それらの間に板バネ５０の巻回部を収容している。すなわち、一対のリブ２３の下部により、板バネ５０の巻回部を保持するバネ保持部２５が構成されている。
なお、一対のリブ２３の上部は、図２に示すように湾曲していてもよく、このようにすることによって、リブ２３による起立板２２の補強効果を向上することが可能である。
【００３０】
一対のリブ２３の各々の後端には、それぞれ指掛け部２６が設けられている。一対の指掛け部２６の各々は、例えば、平板状に形成されており、板面が前後方向を向いている。左側の指掛け部２６は、左側のリブ２３の下部から左方に張り出しており、右側の指掛け部２６は、右側のリブ２３の下部から右方に張り出している。
【００３１】
マガジン１００は、押圧スライダ２０を前方に付勢するスライダ付勢部として、例えば、板バネ５０を備えている。
図１に示すように、板バネ５０は、長尺な板バネであり、渦巻き状の巻回部５０ａと、巻回部５０ａから前方に繰り出された繰出部５１と、底板部１２の前端部の上面に係止されている被係止部５２と、を有している。
板バネ５０の巻回部５０ａは、押圧スライダ２０の一対のリブ２３の間に軸支されており、巻回部５０ａの下端から前方に向けて繰出部５１が繰り出されている。
繰出部５１は、底板部１２の中央部１２ａの上面に沿って配置されている。
被係止部５２は、繰出部５１の前端部である。被係止部５２には、貫通孔が形成されており、底板部１２の中央部１２ａの前端部の上面に設けられた係止突起１８が、被係止部５２の貫通孔に係止されている。
板バネ５０には、繰出部５１を巻回部５０ａに巻き取る方向の巻き癖が付与されている。
板バネ５０が繰出部５１を巻回部５０ａに巻き取ろうとする力によって、押圧スライダ２０が前方に付勢されている。
【００３２】
上述のように、図３（ａ）及び図７（ａ）は、第１残量表示部３１が第１待機領域に位置する状態を示している。第１待機領域は、前壁下部１５の右半部の後方の領域である。第１残量表示部３１が第１待機領域に位置する状態では、第１残量表示部３１は、前壁下部１５の右半部によって覆い隠されている。すなわち、第１残量表示部３１が第１待機領域に位置しているときには、前壁下部１５の右半部が第１残量表示部３１の前方を覆っており、マガジン１００の前方から第１残量表示部３１を視認できないようになっている。
一方、図３（ｂ）、図３（ｃ）及び図７（ｂ）は、第１残量表示部３１が第１待機領域の上方の第１表示領域に位置する状態を示している。この状態では、第１残量表示部３１は、第１窓部７１を介して、マガジン１００の前方から視認可能となる。なお、第１表示領域は、後側壁部１６ｂにおいて、前側壁部１６ａの下縁よりも下方に延びている部分の前方の領域である。
【００３３】
また、上述のように、図３（ａ）、図３（ｂ）及び図８（ａ）は、第２残量表示部４１が第２待機領域に位置する状態を示している。第２待機領域は、前壁下部１５の左半部の後方の領域である。第２残量表示部４１が第２定期領域に位置する状態では、第２残量表示部４１は、前壁下部１５の左半部によって覆い隠されている。すなわち、第２残量表示部４１が第２待機領域に位置しているときには、前壁下部１５の左半部が第２残量表示部４１の前方を覆っており、マガジン１００の前方から第２残量表示部４１を視認できないようになっている。
一方、図３（ｂ）及び図８（ｂ）は、第２残量表示部４１が第２待機領域の上方の第２表示領域に位置する状態を示している。この状態では、第２残量表示部４１は、第２窓部７２を介して、マガジン１００の前方から視認可能となる。なお、第２表示領域は、後側壁部１６ｂにおいて、前側壁部１６ａの下縁よりも下方に延びている部分の前方の領域である。
【００３４】
このように、搭載部１０は、複数の物品（たばこ商品６０）を支持する底板部１２と、底板部１２の幅方向両端に設けられた一対の側壁部１３と、底板部１２の前端部に設けられた前壁部１４と、を備えている。そして、前壁部１４は、第１待機領域に位置する第１残量表示部３１を覆い隠す第１覆い部（前壁下部１５の右半部）と、第２待機領域に位置する第２残量表示部４１を覆い隠す第２覆い部（前壁下部１５の左半部）と、第１表示領域に位置する第１残量表示部３１をマガジン１００の外部（例えば前方）から視認可能とさせる第１窓部７１と、第２表示領域に位置する第２残量表示部４１をマガジン１００の外部（例えば前方）から視認可能とさせる第２窓部７２と、を有する。
【００３５】
また、搭載部１０は、底板部１２、一対の側壁部１３、第１覆い部（前壁下部１５の右半部）、及び、第２覆い部（前壁下部１５の左半部）を含む本体部１１を備え、本体部１１が遮光性材料により構成されている。
更に、マガジン１００は、本体部１１の前端部に設けられたフラップ部材１６を備え、フラップ部材１６は、前傾方向に揺動可能に本体部１１の前端部に軸支されており、フラップ部材１６の前側壁部１６ａと、前壁下部１５（第１覆い部及び第２覆い部）と、の間に第１窓部７１及び第２窓部７２が形成されている。
【００３６】
マガジン１００は、以下に説明する第１揺動部材３０及び第２揺動部材４０を備えている。
図４から図６に示すように、第１揺動部材３０及び第２揺動部材４０の各々は、前後に長尺に形成されているとともに、底板部１２の下面に沿って配置されている。
第１揺動部材３０は、左右一対の側部１２ｂのうち、右側（図４から図６において上側）の側部１２ｂの下面に沿って配置されている。
第２揺動部材４０は、左右一対の側部１２ｂのうち、左側（図４から図６において下側）の側部１２ｂの下面に沿って配置されている。
第１揺動部材３０及び第２揺動部材４０の各々は、後端部が底板部１２の下面側において搭載部１０に対して軸支されている。すなわち、第１揺動部材３０は軸支部３３において搭載部１０に軸支されており、第２揺動部材４０は軸支部４３において搭載部１０に軸支されている。第１揺動部材３０及び第２揺動部材４０の各々の揺動軸は、水平に配置され、且つ、左右に延在している。
また、第１揺動部材３０は、当該第１揺動部材３０の前端部に第１残量表示部３１を有しており、第２揺動部材４０は、当該第２揺動部材４０の前端部に第２残量表示部４１を有している。
【００３７】
ここで、第１残量表示部３１と第２残量表示部４１とは、マガジン１００の幅方向（左右方向）に並んで配置されている。更に、第１残量表示部３１と第２残量表示部４１とは、マガジン１００の前端部に配置されている。
ただし、第１揺動部材３０は、第２揺動部材４０よりも前後に長尺に形成されている（第１揺動部３０ａは、第２揺動部４０ａよりも前後に長尺に形成されている）。このため、軸支部３３は軸支部４３よりも後方に配置されている。
【００３８】
第１揺動部材３０は、前後に長尺な本体部３２と、本体部３２の後側に連接されていて本体部３２よりも幅広の幅広部３５と、幅広部３５からそれぞれ後方に延出している第１延出部３６、第２延出部３７及び第３延出部３８と、を備えている。
第１揺動部材３０において、本体部３２、幅広部３５、第１延出部３６、第２延出部３７及び第３延出部３８を含む部分は、第１揺動部３０ａである。第１揺動部３０ａは、前後に長尺な薄板状に形成されているとともに、底板部１２の下面に沿って配置されている。
第１揺動部３０ａは、三つ股のフォーク状の形状となっている。
また、第１残量表示部３１は、板面が前後方向を向く薄板状に形成されており、本体部３２の前端部（つまり第１揺動部３０ａの前端部）から上方に起立している。なお、第１残量表示部３１の正面形状は特に限定されないが、例えば、矩形状とすることができる。より詳細には、第１残量表示部３１は、例えば、左右に長尺な矩形状に形成されており、当該第１残量表示部３１の上縁及び下縁が水平に配置されている。
なお、第１揺動部材３０において第１残量表示部３１を除く部分が第１揺動部３０ａである。
【００３９】
同様に、第２揺動部材４０は、前後に長尺な本体部４２と、本体部４２の後側に連接されていて本体部４２よりも幅広の幅広部４５と、幅広部４５からそれぞれ後方に延出している第１延出部４６、第２延出部４７及び第３延出部４８と、を備えている。
第２揺動部材４０において、本体部４２、幅広部４５、第１延出部４６、第２延出部４７及び第３延出部４８を含む部分は、第２揺動部４０ａである。第２揺動部４０ａは、前後に長尺な薄板状に形成されているとともに、底板部１２の下面に沿って配置されている。
第２揺動部４０ａは、三つ股のフォーク状の形状となっている。
また、第２残量表示部４１は、板面が前後方向を向く薄板状に形成されており、本体部４２の前端部（つまり第２揺動部４０ａの前端部）から上方に起立している。なお、第２残量表示部４１の正面形状は特に限定されないが、例えば、矩形状とすることができる。より詳細には、第２残量表示部４１は、例えば、左右に長尺な矩形状に形成されており、当該第２残量表示部４１の上縁及び下縁が水平に配置されている。
また、第２揺動部材４０において第２残量表示部４１を除く部分が第２揺動部４０ａである。
【００４０】
図９（ａ）に示すように、第１揺動部材３０の第１延出部３６、第２延出部３７及び第３延出部３８のうち、第１延出部３６がマガジン１００の幅方向における最も中央寄り（スリット１２ｃ側）に配置されている。そして、第１延出部３６は本体部３２の後方に配置されている。
第１延出部３６の後端部３６ａは、前方に向けて徐々に厚くなっており、且つ、当該後端部３６ａの下面が前方に向けて徐々に下方に変位している。また、第１延出部３６の最大厚みは、本体部３２の厚みと同等に設定されている。これにより、後述する第１揺動力付与部２７ａが第１延出部３６よりも前方に向けてスムーズに移動できるようになっている。
【００４１】
第２延出部３７は、第１延出部３６よりもマガジン１００の幅方向における端部側に配置されており、第３延出部３８は、第２延出部３７よりも更にマガジン１００の幅方向における端部側に配置されている。
第２延出部３７の後端部には、軸方向が水平且つ左右方向に延在する軸部３７ａが形成されている。側部１２ｂの下面には、下方に突出している突起１４１が形成されており、該突起１４１には軸支孔１４１ａが形成されている。そして、軸支孔１４１ａによって軸部３７ａが軸支されている。
第３延出部３８の後端部には、軸部３７ａと同軸に配置された軸部３８ａが形成されている。左右一対の側壁部１３のうち、第１揺動部材３０が配置されている側の側壁部１３において、側部１２ｂよりも下側に垂下している部分には、軸支孔１４１ａと同軸の軸支孔１３ｃが形成されている。そして、軸支孔１３ｃによって軸部３８ａが軸支されている。
軸部３７ａ、軸支孔１４１ａ、軸部３８ａ及び軸支孔１３ｃにより、軸支部３３が構成されている。また、軸部３７ａ及び軸部３８ａによって、第１揺動部材３０の揺動軸が構成されている。
なお、突起１４１は、第１延出部３６よりもマガジン１００の幅方向における端部側に配置されており、軸支部３３は、後述する第１揺動力付与部２７ａの移動経路を避けた配置となっている。
【００４２】
また、図９（ｂ）に示すように、第２揺動部材４０の第１延出部４６、第２延出部４７及び第３延出部４８のうち、第１延出部４６がマガジン１００の幅方向における最も中央寄り（スリット１２ｃ側）に配置されている。そして、第１延出部４６は本体部４２の後方に配置されている。
第１延出部４６の後端部４６ａは、前方に向けて徐々に厚くなっており、且つ、当該後端部４６ａの下面が前方に向けて徐々に下方に変位している。また、第１延出部４６の最大厚みは、本体部４２の厚みと同等に設定されている。これにより、後述する第２揺動力付与部２７ｂが第１延出部４６よりも前方に向けてスムーズに移動できるようになっている。
【００４３】
第２延出部４７は、第１延出部４６よりもマガジン１００の幅方向における端部側に配置されており、第３延出部４８は、第２延出部４７よりも更にマガジン１００の幅方向における端部側に配置されている。
第２延出部４７の後端部には、軸方向が水平且つ左右方向に延在する軸部４７ａが形成されている。側部１２ｂの下面には、下方に突出している突起１４２が形成されており、該突起１４２には軸支孔１４２ａが形成されている。そして、軸支孔１４２ａによって軸部３８ａが軸支されている。
第３延出部４８の後端部には、軸部４７ａと同軸に配置された軸部４８ａが形成されている。左右一対の側壁部１３のうち、第２揺動部材４０が配置されている側の側壁部１３において、側部１２ｂよりも下側に垂下している部分には、軸支孔１４２ａと同軸の軸支孔１３ｄが形成されている。そして、軸支孔１３ｄによって軸部４８ａが軸支されている。
軸部４７ａ、軸支孔１４２ａ、軸部４８ａ及び軸支孔１３ｄにより、軸支部４３が構成されている。また、軸部４７ａ及び軸部４８ａによって、第２揺動部材４０の揺動軸が構成されている。
なお、突起１４２は、第１延出部４６よりもマガジン１００の幅方向における端部側に配置されており、軸支部４３は、後述する第２揺動力付与部２７ｂの移動経路を避けた配置となっている。
【００４４】
ここで、図４から図６に示すように、搭載部１０の前端部には、第１揺動部材３０の先端部並びに第２揺動部材４０の先端部の下方への揺動を規制するストッパ部１５ａ、１５ｂが形成されている。
ストッパ部１５ａは、例えば、前壁下部１５の中央部の背面側に設けられており、第１揺動部材３０の先端部並びに第２揺動部材４０の先端部の支持に共用される。
ストッパ部１５ｂは、前壁下部１５の幅方向両端部の各々の背面側に設けられている。一方のストッパ部１５ｂは、第１揺動部材３０の先端部の支持に用いられ、他方のストッパ部１５ｂは、第２揺動部材４０の先端部の支持に用いられる。
【００４５】
より詳細には、図７（ａ）に示すように、後述する第１揺動力付与部２７ａによって第１揺動部材３０が持ち上げられていない状態のときには、第１揺動部材３０の先端部は重力に従って下がっており、第１揺動部材３０は前方に向けて下り傾斜した姿勢となる。この際には、第１残量表示部３１がストッパ部１５ａと一方のストッパ部１５ｂとによって支持されるようになっている。より詳細には、第１残量表示部３１の下縁における幅方向両端部は、面取り形状の係止部３１ａとなっており、各係止部３１ａがストッパ部１５ａと一方のストッパ部１５ｂとによってそれぞれ支持される。
また、第１揺動力付与部２７ａによって第１揺動部材３０が持ち上げられたときには、第１揺動部材３０がほぼ水平になるようになっている。
【００４６】
同様に、図８（ａ）に示すように、後述する第２揺動力付与部２７ｂによって第２揺動部材４０が持ち上げられていない状態のときには、第２揺動部材４０の先端部は重力に従って下がっており、第２揺動部材４０は前方に向けて下り傾斜した姿勢となる。この際には、第２残量表示部４１がストッパ部１５ａと他方のストッパ部１５ｂとによって支持されるようになっている。より詳細には、第２残量表示部４１の下縁における幅方向両端部は、面取り形状の係止部４１ａとなっており、各係止部４１ａがストッパ部１５ａと他方のストッパ部１５ｂとによってそれぞれ支持される。
また、第２揺動力付与部２７ｂによって第２揺動部材４０が持ち上げられたときには、第２揺動部材４０がほぼ水平になるようになっている。
【００４７】
なお、第１揺動部材３０の前端部（ただし第１残量表示部３１よりも後方の部分）は、前方に向けて上り傾斜するように部分的に屈曲した屈曲部３４を有している。これにより、第１揺動部材３０が第１揺動力付与部２７ａによって持ち上げられていないときに、第１揺動部材３０における屈曲部３４よりも後方の部分の傾斜角度をより大きくすることができる。よって、第１揺動力付与部２７ａによって第１揺動部材３０が持ち上げられることによる第１残量表示部３１の上昇量を十分に確保することができ、第１残量表示部３１を確実に第１待機領域から第１表示領域へ遷移させることが可能となる。
同様に、第２揺動部材４０の前端部（ただし第２残量表示部４１よりも後方の部分）は、前方に向けて上り傾斜するように部分的に屈曲した屈曲部４４を有している。これにより、第２揺動部材４０が第２揺動力付与部２７ｂによって持ち上げられていないときに、第２揺動部材４０における屈曲部４４よりも後方の部分の傾斜角度をより大きくすることができる。よって、第２揺動力付与部２７ｂによって第２揺動部材４０が持ち上げられることによる第２残量表示部４１の上昇量を十分に確保することができ、第２残量表示部４１を確実に第２待機領域から第２表示領域へ遷移させることが可能となる。
なお、屈曲部３４及び屈曲部４４の各々は、例えば、底板部１２のスロープ１２ｅの下面に沿って配置されている。また、押圧スライダ２０が最前位置に前進したときにも、第１揺動力付与部２７ａが屈曲部３４には到達せずに屈曲部３４よりも後方に位置するようになっているとともに、第２揺動力付与部２７ｂが屈曲部４４には到達せずに屈曲部４４よりも後方に位置するようになっている。
【００４８】
図２及び図４から図６に示すように、押圧スライダ２０の摺動部２１の第１挟持部２１ａにおける底板部１２の下側の部分には、第１揺動力付与部２７ａが設けられている。第１揺動力付与部２７ａは、水平に配置された平板状の部分であり、第１挟持部２１ａの下端部から、右方に向けて突出している。第１揺動力付与部２７ａは、底板部１２の側部１２ｂから下方に離間した位置に配置されている。なお、第１揺動力付与部２７ａの上面と側部１２ｂの下面との高低差は、第１揺動部材３０の本体部３２の厚みよりも若干大きい程度に設定されている。
同様に、押圧スライダ２０の摺動部２１の第２挟持部２１ｂにおける底板部１２の下側の部分には、第２揺動力付与部２７ｂが設けられている。第２揺動力付与部２７ｂは、水平に配置された平板状の部分であり、第２挟持部２１ｂの下端部から、左方に向けて突出している。第２揺動力付与部２７ｂは、底板部１２の側部１２ｂから下方に離間した位置に配置されている。なお、第２揺動力付与部２７ｂの上面と側部１２ｂの下面との高低差は、第２揺動部材４０の本体部４２の厚みよりも若干大きい程度に設定されている。
なお、第１揺動力付与部２７ａ及び第２揺動力付与部２７ｂは、第１挟持部２１ａ及び第２挟持部２１ｂの後部に設けられている。
【００４９】
ここで、図５及び図７（ｂ）に示される押圧スライダ２０の位置が、上記の第１前進位置である。押圧スライダ２０が第１前進位置よりも後方側から前進し、第１前進位置に到達することにより、第１揺動力付与部２７ａによって第１揺動部材３０が持ち上げられ、該第１揺動部材３０が軸支部３３を支点として上方に揺動する。これにより、第１残量表示部３１が第１待機領域から第１表示領域に移動する。
上述のように、第１残量（第１所定個数）は、例えば、５個である。搭載部１０におけるたばこ商品６０の残個数が６個以上のときには、第１残量表示部３１が第１待機領域に位置（待機）するようになっている。そして、搭載部１０におけるたばこ商品６０の残個数が６個から５個に減って押圧スライダ２０が前進する過程で、第１残量表示部３１が第１待機領域から第１表示領域に移動するようになっている。
第１残量（第１所定個数）をＮ個（Ｎは２以上の自然数）とすると、搭載部１０におけるたばこ商品６０の残個数が（Ｎ＋１）個からＮ個に減ることにより、第１残量表示部３１が第１待機領域から第１表示領域に移動し、当該残個数が（Ｎ＋１）個以上のときには第１残量表示部３１は継続して第１待機領域に位置し、当該残個数がＮ個以下のときには第１残量表示部３１は継続して第１表示領域に位置する。
より詳細には、本実施形態の場合、搭載部１０におけるたばこ商品６０の残個数が（Ｎ＋１）個以上のときには第１残量表示部３１は第１待機領域において継続して一定位置に留まる。また、搭載部１０におけるたばこ商品６０の残個数がＮ個以下のときで且つ押圧スライダ２０の前進に連動した第１揺動部材３０の揺動が停止して以降においては、第１残量表示部３１は第１表示領域において継続して一定位置に留まる。
【００５０】
また、図６及び図８（ｂ）に示される押圧スライダ２０の位置が、上記の第２前進位置である。押圧スライダ２０が第２前進位置よりも後方側から前進し、第２前進位置に到達することにより、第２揺動力付与部２７ｂによって第２揺動部材４０が持ち上げられ、該第２揺動部材４０が軸支部４３を支点として上方に揺動する。これにより、第２残量表示部４１が第２待機領域から第２表示領域に移動する。
上述のように、第２残量（第２所定個数）は、例えば、２個である。搭載部１０におけるたばこ商品６０の残個数が３個以上のときには、第２残量表示部４１が第２待機領域に位置（待機）するようになっている。そして、搭載部１０におけるたばこ商品６０の残個数が３個から２個に減って押圧スライダ２０が前進する過程で、第２残量表示部４１が第２待機領域から第２表示領域に移動するようになっている。
第２残量（第２所定個数）をＭ個（ＭはＮよりも小さい自然数）とすると、搭載部１０におけるたばこ商品６０の残個数が（Ｍ＋１）個からＭ個に減ることにより、第２残量表示部４１が第２待機領域から第２表示領域に移動し、当該残個数が（Ｍ＋１）個以上のときには第２残量表示部４１は継続して第２待機領域に位置し、当該残個数がＭ個以下のときには第２残量表示部４１は継続して第２表示領域に位置する。
より詳細には、本実施形態の場合、搭載部１０におけるたばこ商品６０の残個数が（Ｍ＋１）個以上のときには第２残量表示部４１は第２待機領域において継続して一定位置に留まる。また、搭載部１０におけるたばこ商品６０の残個数がＭ個以下のときで且つ押圧スライダ２０の前進に連動した第２揺動部材４０の揺動が停止して以降においては、第２残量表示部４１は第２表示領域において継続して一定位置に留まる。
【００５１】
このように、第１移動機構は、搭載部１０に対して揺動可能に設けられた第１揺動部３０ａを含んで構成されている。そして、第１移動機構は、押圧スライダ２０が第１前進位置まで前進することに連動して揺動することにより、第１残量表示部３１を第１待機領域と第１表示領域との間で移動させるように構成されている。具体的には、第１移動機構は、押圧スライダ２０が第１前進位置まで前進することに連動して揺動することにより、第１残量表示部３１を第１待機領域から第１表示領域へ移動させるように構成されている。
同様に、第２移動機構は、搭載部１０に対して揺動可能に設けられた第２揺動部４０ａを含んで構成されている。そして、第２移動機構は、押圧スライダ２０が第２前進位置まで前進することに連動して揺動することにより、第２残量表示部４１を第２待機領域と第２表示領域との間で移動させるように構成されている。具体的には、第２移動機構は、押圧スライダ２０が第２前進位置まで前進することに連動して揺動することにより、第２残量表示部４１を第２待機領域から第２表示領域へ移動させるように構成されている。
【００５２】
また、第１揺動部３０ａは、水平な揺動軸（軸部３７ａ及び軸部３８ａ）の軸周りに揺動可能に、搭載部１０に対して軸支されている。また、第２揺動部４０ａは、水平な揺動軸（軸部４７ａ及び軸部４８ａ）の軸周りに揺動可能に、搭載部１０に対して軸支されている。
すなわち、第１揺動部３０ａ及び第２揺動部４０ａの各々は、水平な揺動軸周りに揺動可能に、搭載部１０に対して軸支されている。
【００５３】
また、搭載部１０は、複数の物品（たばこ商品６０）を支持する底板部１２と、底板部１２の幅方向両端に設けられた一対の側壁部１３と、底板部１２の前端部に設けられた前壁部１４と、を備え、押圧スライダ２０は、底板部１２に沿って前後に移動可能に、底板部１２に装着されている。
第１揺動部３０ａ及び第２揺動部４０ａの各々は、前後に長尺に形成されているとともに底板部１２の下面に沿って配置され、且つ、第１揺動部３０ａ及び第２揺動部４０ａの各々の後端部が底板部１２の下面側において軸支されている。
そして、第１揺動部３０ａの前端部に第１残量表示部３１が設けられており、第２揺動部４０ａの前端部に第２残量表示部４１が設けられている。
【００５４】
また、第１揺動部３０ａ及び第２揺動部４０ａの各々は、前後に長尺な薄板状に形成されているとともに、後端部が底板部１２の下面側において軸支され、且つ、底板部１２の下面に沿って配置されている。
第１残量表示部３１は薄板状に形成されているとともに、第１揺動部３０ａの前端部から上方に起立し、且つ、当該第１残量表示部３１の板面が前後を向いている。
また、第２残量表示部４１は薄板状に形成されているとともに、第２揺動部４０ａの前端部から上方に起立し、且つ、当該第２残量表示部４１の板面が前後を向いている。
【００５５】
また、底板部１２の幅方向における中間部には、前後に延在するスリット１２ｃが形成されている。押圧スライダ２０は、底板部１２においてスリット１２ｃの一側方に位置する部分を上下から挟持する第１挟持部２１ａと、底板部１２においてスリット１２ｃの他側方に位置する部分を上下から挟持する第２挟持部２１ｂと、を備えている。
そして、第１挟持部２１ａにおける底板部１２の下側の部分には、押圧スライダ２０が第１前進位置まで前進した際に第１揺動部３０ａを上方に揺動させる第１揺動力付与部２７ａが設けられている。
また、第２挟持部２１ｂにおける底板部１２の下側の部分には、押圧スライダ２０が第２前進位置まで前進した際に第２揺動部４０ａを上方に揺動させる第２揺動力付与部２７ｂが設けられている。
【００５６】
また、第１残量表示部３１は、マガジン１００における第１残量表示部３１の周囲の部分とは異なる色に着色されている。より詳細には、例えば、第１残量表示部３１を含む第１揺動部材３０の全体が、黄色などの目立つ色に着色されている。
また、第２残量表示部４１は、マガジン１００における第２残量表示部４１の周囲の部分とは異なる色に着色されている。より詳細には、例えば、第１残量表示部３１と第２残量表示部４１とは、互いに異なる色に着色されている。例えば、第２残量表示部４１を含む第２揺動部材４０の全体が、赤色などの目立つ色に着色されている。
なお、本体部１１は、例えば紺色などの暗い色に着色されており、第１残量表示部３１及び第２残量表示部４１の表示色である黄色や赤色と本体部１１とのコントラストが際立つようになっている。
【００５７】
次に、動作を説明する。
【００５８】
初期状態では、例えば図７（ａ）に示すように、搭載部１０に６個以上のたばこ商品６０が搭載されているものとする。図７（ａ）及び図４に示すように、この状態では、押圧スライダ２０は第１前進位置よりも後方に位置しており、第１揺動部材３０は第１揺動力付与部２７ａによって押し上げられていない。また、第２揺動部材４０も第１揺動力付与部２７ａによって押し上げられていない。よって、第１残量表示部３１及び第２残量表示部４１は、それぞれ第１待機領域及び第２待機領域に位置しており、第１残量表示部３１及び第２残量表示部４１をマガジン１００の前方から視認できない（図３（ａ））。
【００５９】
搭載部１０に搭載されているたばこ商品６０のうち、先頭のものが取り出されると、搭載部１０に搭載されている残りのたばこ商品６０のうち、最前位置のたばこ商品６０の前面がフラップ部材１６の背面に当接するまで、残りのたばこ商品６０が押圧スライダ２０によって前方に押される。
従って、押圧スライダ２０は、搭載部１０上のたばこ商品６０の残数が減る度に、段階的に前進する。
なお、先頭のたばこ商品６０が前方に取り出される際には、フラップ部材１６が当該たばこ商品６０の前面に押されて前傾しうるため、たばこ商品６０の取り出しを容易に行うことができる。また、先頭のたばこ商品６０が取り出された後は、搭載部１０に残留するたばこ商品６０が押圧スライダ２０によってまとめて前方に押し出される。そして、搭載部１０に残留するたばこ商品６０のうち新たに先頭に位置することとなったたばこ商品６０の前面によって、フラップ部材１６の後側壁部１６ｂの下部（軸部１６ｄよりも下方に位置する部分）が前方に押される。これにより、フラップ部材１６は起立状態に復帰する。
【００６０】
図７（ｂ）に示すように、搭載部１０におけるたばこ商品６０の残数が５個となることにより、押圧スライダ２０は第１前進位置まで前進する（図５参照）。これにより、第１揺動力付与部２７ａが第１揺動部材３０を持ち上げることによって、第１揺動部材３０の前端部の第１残量表示部３１が第１待機領域から第１表示領域に移動する。これにより、マガジン１００の前方から第１残量表示部３１を視認可能となる（図３（ｂ））。
【００６１】
図８（ａ）に示すように、搭載部１０におけるたばこ商品６０の残数が４個以下、且つ、３個以上のときには、押圧スライダ２０は第１前進位置よりも前方、且つ、第２前進位置よりも後方に位置する。この状態でも、第１揺動力付与部２７ａは、継続して第１揺動部材３０を持ち上げた状態を維持する。このため、第１残量表示部３１は引き続き第１表示領域に留まっている。
また、この状態では、第２揺動力付与部２７ｂは未だ第２揺動部材４０を持ち上げていないため、第２残量表示部４１は引き続き第２待機領域に留まる。
【００６２】
図８（ｂ）に示すように、搭載部１０におけるたばこ商品６０の残数が２個となることにより、押圧スライダ２０は第２前進位置まで前進する（図６参照）。これにより、第２揺動力付与部２７ｂが第２揺動部材４０を持ち上げることによって、第２揺動部材４０の前端部の第２残量表示部４１が第２待機領域から第２表示領域に移動する。これにより、マガジン１００の前方から第２残量表示部４１を視認可能となる（図３（ｃ））。
また、この状態でも、第１揺動力付与部２７ａは、継続して第１揺動部材３０を持ち上げた状態を維持するため、第１残量表示部３１は引き続き第１表示領域に留まる。
【００６３】
また、搭載部１０におけるたばこ商品６０の残数が１個以下（０個の場合も含む）においても、第１揺動力付与部２７ａは、継続して第１揺動部材３０を持ち上げた状態を維持するため、第１残量表示部３１は引き続き第１表示領域に留まる。また、この状態でも、第２揺動力付与部２７ｂは、継続して第２揺動部材４０を持ち上げた状態を維持するため、第２残量表示部４１は引き続き第２表示領域に留まる。
【００６４】
このように、第１残量表示部３１は、搭載部１０に搭載されているたばこ商品６０の残量が第１残量以下の状態のときに継続して第１表示領域に留まって表示報知を行う。同様に、第２残量表示部４１は、搭載部１０に搭載されているたばこ商品６０の残量が第２残量以下の状態のときに継続して第２表示領域に留まって表示報知を行う。
【００６５】
以上のような実施形態によれば、マガジン１００は、搭載部１０に搭載されているたばこ商品６０の残量が第１残量となったことを表示報知する第１残量表示部３１と、搭載部１０に搭載されているたばこ商品６０の残量が第２残量となったことを表示報知する第２残量表示部４１と、押圧スライダ２０が第１前進位置まで前進することに連動して第１残量表示部３１を第１待機領域と第１表示領域との間で移動させる第１移動機構と、押圧スライダ２０が第２前進位置まで前進することに連動して第２残量表示部４１を第２待機領域と第２表示領域との間で移動させる第２移動機構と、を備えている。
これにより、搭載部１０に搭載されたたばこ商品６０の残量をより細かく適切に表示報知することが可能となる。
すなわち、たばこ商品６０の残量に応じた複数段階（例えば２段階）の表示報知が可能であることによって、補充又は発注に適したタイミングをそれぞれ表示報知することができる。
なお、第１残量表示部３１を移動させる第１移動機構と、第２残量表示部４１を移動させる第２移動機構と、を別個に備えているため、仮に、第１移動機構又は第２移動機構の一方が動作不良となっても、他方が動作することによって、第１残量表示部３１又は第２残量表示部４１の一方による表示報知を実行可能となる。
【００６６】
〔第２実施形態〕
図１０（ａ）及び図１０（ｂ）の各々は第２実施形態に係るマガジン１００の縦断面図であり、このうち図１０（ａ）は第１残量表示部３１が第１待機領域に位置する状態を示し、図１０（ｂ）は第１残量表示部３１が第１表示領域に位置する状態を示す。
本実施形態に係るマガジン１００は、以下に説明する点で、上記の第１実施形態に係るマガジン１００と相違している。なお、本実施形態に係るマガジン１００の構成のうち、第１実施形態に係るマガジン１００と共通する構成については、適宜に説明を省略する。
【００６７】
上記の第１の実施形態では、第１移動機構は、第１残量表示部３１を上昇させることによって、該第１残量表示部３１を第１待機領域から第１表示領域に移動させるものであるとともに、第２移動機構は、第２残量表示部４１を上昇させることによって、該第２残量表示部４１を第２待機領域から第２表示領域に移動させるものである例を説明した。また、第１残量表示部３１及び第２残量表示部４１がそれぞれマガジン１００の前方から視認可能となることによって表示報知を行う例を説明した。
【００６８】
これに対し、本実施形態では、第１移動機構は、第１残量表示部３１を下降させることによって、該第１残量表示部３１を第１待機領域から第１表示領域に移動させるものであるとともに、第２移動機構は、第２残量表示部４１を下降させることによって、該第２残量表示部４１を第２待機領域から第２表示領域に移動させるものである例を説明する。
また、本実施形態の場合、第１残量表示部３１は、第１待機領域では当該第１残量表示部３１の後方に位置する第１表示部１１１を覆い隠して前方から視認不能とさせ、第１表示領域に移動することによって第１表示部１１１を前方から視認可能とさせることで表示報知を行う。
同様に、第２残量表示部４１は、第２待機領域では当該第２残量表示部４１の後方に位置する第２表示部（不図示）を覆い隠して前方から視認不能とさせ、第２表示領域に移動することによって第２表示部を前方から視認可能とさせることで表示報知を行う。
【００６９】
本実施形態の場合、搭載部１０は、底板部１２の下面から下方に延びる支持部８０を備えており、支持部８０の下端部によって第１揺動部材３０の後端部（第１揺動部３０ａの後端部）が軸支されている。
また、搭載部１０の右側の側壁部１３において、底板部１２よりも下側の部分の内面側には、圧縮型のコイルバネ９０の下端を受けるバネ受部１８０が設けられている。コイルバネ９０は、バネ受部１８０の上面と第１揺動部材３０の前端部の下面との間において圧縮状態で保持されており、第１揺動部材３０の前端部を上方に付勢している。
また、押圧スライダ２０の摺動部２１の右半部には、押圧スライダ２０が第１前進位置まで前進することにより第１揺動部材３０を押し下げる第１揺動力付与部１２０が設けられている。
【００７０】
第２揺動部材４０についても同様に、当該第２揺動部材４０の後端部（第２揺動部４０ａの後端部）が、底板部１２の下面から下方に延びる支持部（不図示）によって軸支されている。
また、搭載部１０の左側の側壁部１３において、底板部１２よりも下側の部分の内面側には、圧縮型のコイルバネ（不図示）の下端を受けるバネ受部（不図示）が設けられている。このコイルバネは、このバネ受部の上面と第２揺動部材４０の前端部の下面との間において圧縮状態で保持されており、第２揺動部材４０の前端部を上方に付勢している。
また、押圧スライダ２０の摺動部２１の左半部には、押圧スライダ２０が第２前進位置まで前進することにより第２揺動部材４０を押し下げる第２揺動力付与部（不図示）が設けられている。
【００７１】
また、底板部１２の前端部は、上方に向けて起立した起立壁を有しており、当該起立壁の右半部の前面には第１表示部１１１が、当該起立壁の左半部の前面には第２表示部（不図示）が、それぞれ設けられている。第１表示部１１１は第１窓部７１の後方に配置されており、第２表示部は第２窓部７２の後方に配置されている。第１表示部１１１及び第２表示部は、それぞれ黄色や赤色などの目立つ色に着色されていることが好ましい。
一方、本実施形態の場合、第１残量表示部３１及び第２残量表示部４１は、例えば、本体部１１と同様の色（紺色等）に着色されていることが好ましい。より詳細には、例えば、第１残量表示部３１を含む第１揺動部材３０の全体、並びに、第２残量表示部４１を含む第２揺動部材４０の全体が、本体部１１と同様の色に着色されている。
【００７２】
図１０（ａ）に示すように、押圧スライダ２０が第１前進位置よりも後方に位置するときには、第１揺動部材３０の前端部はコイルバネ９０の付勢に従って持ち上げられており、第１残量表示部３１は第１表示部１１１の前方を覆っている。すなわち、押圧スライダ２０が第１前進位置よりも後方に位置するときには、第１残量表示部３１は、第１表示部１１１を前方から視認不能となる第１待機領域に位置するようになっている。
一方、図１０（ｂ）に示すように、押圧スライダ２０が第１前進位置まで前進することに連動して、第１揺動力付与部１２０が第１揺動部材３０を押し下げる。これにより、第１揺動部材３０はコイルバネ９０の付勢に抗して軸支部３３を支点として下方に揺動し、第１残量表示部３１が第１待機領域から第１表示領域に移動する。すなわち、押圧スライダ２０が第１前進位置まで前進することにより、第１残量表示部３１は、第１表示部１１１を前方から視認可能となる第１表示領域に移動する。
また、搭載部１０に搭載されているたばこ商品６０の残量が第１残量以下の状態のときには、第１残量表示部３１は継続して第１表示領域に留まり、第１表示部１１１による表示報知が継続して行われる。
【００７３】
同様に、図示は省略するが、押圧スライダ２０が第２前進位置よりも後方に位置するときには、第２揺動部材４０の前端部はコイルバネの付勢に従って持ち上げられており、第２残量表示部４１は第２表示部の前方を覆っている。すなわち、押圧スライダ２０が第２前進位置よりも後方に位置するときには、第２残量表示部４１は、第２表示部を前方から視認不能となる第２待機領域に位置するようになっている。
一方、押圧スライダ２０が第２前進位置まで前進することに連動して、第２揺動力付与部が第２揺動部材４０を押し下げる。これにより、第２揺動部材４０はコイルバネの付勢に抗して軸支部４３を支点として下方に揺動し、第２残量表示部４１が第２待機領域から第２表示領域に移動する。すなわち、押圧スライダ２０が第２前進位置まで前進することにより、第２残量表示部４１は、第２表示部を前方から視認可能となる第２表示領域に移動する。
また、搭載部１０に搭載されているたばこ商品６０の残量が第２残量以下の状態のときには、第２残量表示部４１は継続して第２表示領域に留まり、第２表示部による表示報知が継続して行われる。
【００７４】
以上、図面を参照して各実施形態を説明したが、これらは本発明の例示であり、上記以外の様々な構成を採用することもできる。
【００７５】
例えば、上記においては、搭載部１０におけるたばこ商品６０の残個数が（Ｎ＋１）個以上のときには第１残量表示部３１は第１待機領域において継続して一定位置に留まり、当該残個数がＮ個以下のときで且つ押圧スライダ２０の前進に連動した第１揺動部材３０の揺動が停止して以降においては、第１残量表示部３１は第１表示領域において継続して一定位置に留まる例を説明した。同様に、上記においては、搭載部１０におけるたばこ商品６０の残個数が（Ｍ＋１）個以上のときには第２残量表示部４１は第２待機領域において継続して一定位置に留まり、当該残個数がＭ個以下のときで且つ押圧スライダ２０の前進に連動した第２揺動部材４０の揺動が停止して以降においては、第２残量表示部４１は第２表示領域において継続して一定位置に留まる例を説明した。
ただし、本発明は、この例に限らず、第１残量表示部３１は、搭載部１０におけるたばこ商品６０の残個数の変動に応じて、第１待機領域又は第１表示領域の少なくともいずれか一方において段階的に移動するようになっていても良い。同様に、第２残量表示部４１は、搭載部１０におけるたばこ商品６０の残個数の変動に応じて、第２待機領域又は第２表示領域の少なくともいずれか一方において段階的に移動するようになっていても良い。
【００７６】
例えば、上記の各実施形態では、搭載部１０における物品の残量を２段階に報知可能な構成を説明したが、３段階に報知可能であってもよい。すなわち、マガジン１００は、搭載部１０に搭載されている物品の残量が第２残量よりも少ない第３残量となったことを表示報知する第３残量表示部と、押圧スライダ２０が第２前進位置よりも前方の第３前進位置まで前進することに連動して第３残量表示部を第３待機領域から第３表示領域へ移動させる第３移動機構と、を備えていても良い。同様に、マガジン１００は、搭載部１０における物品の残量を４段階以上に報知可能であってもよい。
【００７７】
本実施形態は以下の技術思想を包含する。
（１）複数の物品を前後方向に並べて搭載可能な搭載部と、前記搭載部に沿って前後に移動可能に設けられた押圧スライダと、前記押圧スライダを前方に付勢するスライダ付勢部と、前記搭載部に搭載されている前記物品の残量が第１残量となったことを表示報知する第１残量表示部と、前記搭載部に搭載されている前記物品の残量が前記第１残量よりも少ない第２残量となったことを表示報知する第２残量表示部と、前記押圧スライダが第１前進位置まで前進することに連動して、前記第１残量表示部を第１待機領域と第１表示領域との間で移動させる第１移動機構と、前記押圧スライダが前記第１前進位置よりも前方の第２前進位置まで前進することに連動して、前記第２残量表示部を第２待機領域と第２表示領域との間で移動させる第２移動機構と、を備えるマガジン。
（２）前記第１移動機構は、前記搭載部に対して揺動可能に設けられた第１揺動部を含んで構成され、前記押圧スライダが前記第１前進位置まで前進することに連動して揺動することにより、前記第１残量表示部を前記第１待機領域と前記第１表示領域との間で移動させるように構成され、前記第２移動機構は、前記搭載部に対して揺動可能に設けられた第２揺動部を含んで構成され、前記押圧スライダが前記第２前進位置まで前進することに連動して揺動することにより、前記第２残量表示部を前記第２待機領域と前記第２表示領域との間で移動させるように構成されている（１）に記載のマガジン。
（３）前記第１揺動部及び前記第２揺動部の各々は、水平な揺動軸周りに揺動可能に、前記搭載部に対して軸支されている（２）に記載のマガジン。
（４）前記搭載部は、前記複数の物品を支持する底板部と、前記底板部の幅方向両端に設けられた一対の側壁部と、前記底板部の前端部に設けられた前壁部と、を備え、前記押圧スライダは、前記底板部に沿って前後に移動可能に、前記底板部に装着されており、前記第１揺動部及び前記第２揺動部の各々は、前後に長尺に形成されているとともに前記底板部の下面に沿って配置され、前記第１揺動部及び前記第２揺動部の各々の後端部が前記底板部の下面側において軸支され、前記第１揺動部の前端部に前記第１残量表示部が設けられており、前記第２揺動部の前端部に前記第２残量表示部が設けられている（３）に記載のマガジン。
（５）前記第１揺動部及び前記第２揺動部の各々は、前後に長尺な薄板状に形成されているとともに、後端部が前記底板部の下面側において軸支され、且つ、前記底板部の下面に沿って配置されており、前記第１残量表示部は薄板状に形成されているとともに、前記第１揺動部の前端部から上方に起立し、且つ、当該第１残量表示部の板面が前後を向いており、前記第２残量表示部は薄板状に形成されているとともに、前記第２揺動部の前端部から上方に起立し、且つ、当該第２残量表示部の板面が前後を向いている（４）に記載のマガジン。
（６）前記底板部の幅方向における中間部には、前後に延在するスリットが形成され、前記押圧スライダは、前記底板部において前記スリットの一側方に位置する部分を上下から挟持する第１挟持部と、前記底板部において前記スリットの他側方に位置する部分を上下から挟持する第２挟持部と、を備え、前記第１挟持部における前記底板部の下側の部分には、前記押圧スライダが前記第１前進位置まで前進した際に前記第１揺動部を上方に揺動させる第１揺動力付与部が設けられ、前記第２挟持部における前記底板部の下側の部分には、前記押圧スライダが前記第２前進位置まで前進した際に前記第２揺動部を上方に揺動させる第２揺動力付与部が設けられている（４）又は（５）に記載のマガジン。
（７）前記搭載部は、前記複数の物品を支持する底板部と、前記底板部の幅方向両端に設けられた一対の側壁部と、前記底板部の前端部に設けられた前壁部と、を備え、前記前壁部は、前記第１待機領域に位置する前記第１残量表示部を覆い隠す第１覆い部と、前記第２待機領域に位置する前記第２残量表示部を覆い隠す第２覆い部と、前記第１表示領域に位置する前記第１残量表示部を当該マガジンの外部から視認可能とさせる第１窓部と、前記第２表示領域に位置する前記第２残量表示部を当該マガジンの外部から視認可能とさせる第２窓部と、を有する（１）から（６）のいずれか一項に記載のマガジン。
（８）前記搭載部は、前記底板部、前記一対の側壁部、前記第１覆い部、及び、前記第２覆い部を含む本体部を備え、前記本体部が遮光性材料により構成されている（７）に記載のマガジン。
（９）前記第１残量表示部と前記第２残量表示部とが当該マガジンの幅方向に並んで配置されている（１）から（８）のいずれか一項に記載のマガジン。
（１０）前記第１残量表示部と前記第２残量表示部とが当該マガジンの前端部に配置されている（１）から（９）のいずれか一項に記載のマガジン。
（１１）前記第１残量表示部は、当該マガジンにおける前記第１残量表示部の周囲の部分とは異なる色に着色されており、前記第２残量表示部は、当該マガジンにおける前記第２残量表示部の周囲の部分とは異なる色に着色されている（１）から（１０）のいずれか一項に記載のマガジン。
（１２）前記第１残量表示部と前記第２残量表示部とは、互いに異なる色に着色されている（１）から（１１）のいずれか一項に記載のマガジン。
【符号の説明】
【００７８】
１０  搭載部
１１  本体部
１２  底板部
１２ａ  中央部
１２ｂ  側部
１２ｃ  スリット
１２ｄ  ガイドレール
１２ｅ  スロープ
１２ｆ  取付用切欠形状部
１３  側壁部
１３ａ  軸支孔
１３ｂ  ガイド孔
１３ｃ  軸支孔
１３ｄ  軸支孔
１４  前壁部
１５  前壁下部
１５ａ  ストッパ部
１６  フラップ部材
１６ａ  前側壁部
１６ｂ  後側壁部
１６ｃ  底板部
１６ｄ  軸部
１６ｅ  ガイドピン
１７  後壁部
１７ａ  前側壁部
１７ｂ  後側壁部
１８  係止突起
１９  ブレード
２０  押圧スライダ
２１  摺動部
２１ａ  第１挟持部
２１ｂ  第２挟持部
２２  起立板
２３  リブ
２５  バネ保持部
２６  指掛け部
２７ａ  第１揺動力付与部
２７ｂ  第２揺動力付与部
３０  第１揺動部材
３０ａ  第１揺動部
３１  第１残量表示部
３１ａ  係止部
３２  本体部
３３  軸支部
３４  屈曲部
３５  幅広部
３６  第１延出部
３６ａ  後端部
３７  第２延出部
３７ａ  軸部
３８  第３延出部
３８ａ  軸部
４０  第２揺動部材
４０ａ  第２揺動部
４１  第２残量表示部
４１ａ  係止部
４２  本体部
４３  軸支部
４４  屈曲部
４５  幅広部
４６  第１延出部
４６ａ  後端部
４７  第２延出部
４７ａ  軸部
４８  第３延出部
４８ａ  軸部
５０  板バネ
５１  繰出部
５２  被係止部
６０  たばこ商品（物品）
７０  窓部
７１  第１窓部
７２  第２窓部
８０  支持部
９０  コイルバネ
１１１  第１表示部
１２０  第１揺動力付与部
１４１  突起
１４１ａ  軸支孔
１４２  突起
１４２ａ  軸支孔
１８０  バネ受部
【図１】
0006778015.tif 000002
【図２】
0006778015.tif 000003
【図３】
0006778015.tif 000004
【図４】
0006778015.tif 000005
【図５】
0006778015.tif 000006
【図６】
0006778015.tif 000007
【図７】
0006778015.tif 000008
【図８】
0006778015.tif 000009
【図９】
0006778015.tif 000010
【図１０】
0006778015.tif 000011